【手続補正書】
【提出日】平成19年9月6日(2007.9.6)
【手続補正１】
【補正対象書類名】特許請求の範囲
【補正対象項目名】全文
【補正方法】変更
【補正の内容】
【特許請求の範囲】
【請求項１】
画像を表示する表示手段を備えた画像処理装置であって、
この表示手段に前記画像が表示されているときに、所定サイズのトリミング枠を重畳表
示するトリミング枠表示手段と、
当該装置の傾きを検出する傾き検出手段と、
この傾き検出手段による検出値に基づいて前記所定サイズのトリミング枠を傾けて表示
するよう制御する表示制御手段と、
前記トリミング枠内の画像を切り出すトリミング手段と、
切り出した画像を記録する記録制御手段と、
を備えたことを特徴とする画像処理装置。
【請求項２】
撮像手段と、画像を表示する表示手段とを備えた撮像装置であって、
この表示手段に前記撮像手段によって撮像されている画像が表示されているときに、所
定サイズのトリミング枠を重畳表示するトリミング枠表示手段と、
当該装置の傾きを検出する傾き検出手段と、
この傾き検出手段による検出値に基づいて前記所定サイズのトリミング枠を傾けて表示
するよう制御する表示制御手段と、
前記トリミング枠内の画像を切り出すトリミング手段と、
切り出した画像を記録する記録制御手段と、
を備えたことを特徴とする撮像装置。
【請求項３】
前記撮像手段によって撮像された画像を記録する画像記録手段を更に備え、
前記表示手段は、前記画像記録手段によって記録された画像を表示することを特徴とす
る請求項２に記載の画像処理装置。
【請求項４】
前記傾き検出手段の検出値とは、前記表示手段を左右に傾けたときのその向きと角度で
あり、
前記表示制御手段は、前記傾き検出手段が検出した向きとは反対方向で且つ前記傾き検
出手段が検出した角度に傾けて前記所定のトリミング枠を表示するよう制御することを特徴とする請求項１乃至３の何れかに記載の画像処理装置。
【請求項５】
画像を表示する表示部を備えた画像処理装置における画像のトリミング方法であって、
前記表示部に前記画像が表示されているときに、所定サイズのトリミング枠を重畳表示
するトリミング枠表示ステップと、
前記装置の傾きを検出する傾き検出ステップと、
この傾き検出ステップによる検出値に基づいて前記所定サイズのトリミング枠を傾けて表示するよう制御する表示制御ステップと、
前記トリミング枠内の画像を切り出すトリミングステップと、
切り出した画像を記録する記録制御ステップと
を含むことを特徴とする画像のトリミング方法。
【請求項６】
画像を表示する表示部を備えた画像処理装置のコンピュータを、
前記表示部に前記画像が表示されているときに、所定サイズのトリミング枠を重畳表示
するトリミング枠表示手段、
前記装置の傾きを検出する傾き検出手段、
この傾き検出手段による検出値に基づいて前記所定サイズのトリミング枠を傾けて表示するよう制御する表示制御手段、
前記トリミング枠内の画像を切り出すトリミング手段、
切り出した画像を記録する記録制御手段
として機能させることを特徴とするプログラム。
【手続補正２】
【補正対象書類名】明細書
【補正対象項目名】発明の名称
【補正方法】変更
【補正の内容】
【発明の名称】画像のトリミング方法、画像処理装置、及びプログラム
【手続補正３】
【補正対象書類名】明細書
【補正対象項目名】０００１
【補正方法】変更
【補正の内容】
【０００１】
本発明は、画像のトリミング技術に関する。
【手続補正４】
【補正対象書類名】明細書
【補正対象項目名】０００９
【補正方法】変更
【補正の内容】
【０００９】
本発明は、上記課題を解決するためになされたものであり、画像を任意の角度で且つ簡単な操作でトリミングし得る、画像のトリミング方法、画像処理装置、及びプログラムの提供を目的とする。
【手続補正５】
【補正対象書類名】明細書
【補正対象項目名】００１０
【補正方法】変更
【補正の内容】
【００１０】
上記課題を解決するために、請求項１に記載の発明は、画像を表示する表示手段を備
えた画像処理装置であって、この表示手段に前記画像が表示されているときに、所定サイズのトリミング枠を重畳表示するトリミング枠表示手段と、当該装置の傾きを検出する傾き検出手段と、この傾き検出手段による検出値に基づいて前記所定サイズのトリミング枠を傾けて表示するよう制御する表示制御手段と、前記トリミング枠内の画像を切り出すトリミング手段と、切り出した画像を記録する記録制御手段と、を備えたことを特徴とする。
【手続補正６】
【補正対象書類名】明細書
【補正対象項目名】００１１
【補正方法】変更
【補正の内容】
【００１１】
請求項２に記載の発明は、撮像手段と、画像を表示する表示手段とを備えた撮像装置であって、この表示手段に前記撮像手段によって撮像されている画像が表示されているときに、所定サイズのトリミング枠を重畳表示するトリミング枠表示手段と、
当該装置の傾きを検出する傾き検出手段と、この傾き検出手段による検出値に基づいて前記所定サイズのトリミング枠を傾けて表示するよう制御する表示制御手段と、前記トリミング枠内の画像を切り出すトリミング手段と、切り出した画像を記録する記録制御手段と、
を備えたことを特徴とする。
【手続補正７】
【補正対象書類名】明細書
【補正対象項目名】００１２
【補正方法】変更
【補正の内容】
【００１２】
請求項３に記載の発明は、請求項２に記載の発明において、前記撮像手段によって撮像された画像を記録する画像記録手段を更に備え、前記表示手段は、前記画像記録手段によって記録された画像を表示することを特徴とする。
【手続補正８】
【補正対象書類名】明細書
【補正対象項目名】００１３
【補正方法】変更
【補正の内容】
【００１３】
請求項４に記載の発明は、請求項１乃至３の何れかに記載の発明において、前記傾き検
出手段の検出値とは、前記表示手段を左右に傾けたときのその向きと角度であり、前記表示制御手段は、前記傾き検出手段が検出した向きとは反対方向で且つ前記傾き検出手段が検出した角度に傾けて前記所定のトリミング枠を表示するよう制御することを特徴とする。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
請求項５に記載の発明は、画像を表示する表示部を備えた画像処理装置における画像の
トリミング方法であって、前記表示部に前記画像が表示されているときに、所定サイズのトリミング枠を重畳表示するトリミング枠表示ステップと、前記装置の傾きを検出する傾き検出ステップと、この傾き検出ステップによる検出値に基づいて前記所定サイズのトリミング枠を傾けて表示するよう制御する表示制御ステップと、前記トリミング枠内の画像を切り出すトリミングステップと、切り出した画像を記録する記録制御ステップとを含むことを特徴とする。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】変更
【補正の内容】
【００２２】
請求項６に記載の発明は、画像を表示する表示部を備えた画像処理装置のコンピュータ
を、前記表示部に前記画像が表示されているときに、所定サイズのトリミング枠を重畳表示するトリミング枠表示手段、前記装置の傾きを検出する傾き検出手段、この傾き検出手段による検出値に基づいて前記所定サイズのトリミング枠を傾けて表示するよう制御する表示制御手段、前記トリミング枠内の画像を切り出すトリミング手段、切り出した画像を記録する記録制御手段として機能させることを特徴とする。
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】